(57)【要約】【課題】時刻合わせ後の再起動時に確実にてんぷを動かすことで、時計の停止を防ぐ機構、それを有するムーブメント及び時計を提供する。【解決手段】てんぷ停止機構１１は、回転停止部７及びてんぷ９に備えられる係止部２とで構成され、回転停止部７と係止部２が当接することによって、てんぷ９をポテンシャルエネルギーがゼロになるタイミングを避けて停止させることができ、再起動後に確実に時計を動かすことができる。【選択図】図１
2017187483.tif 000002
【特許請求の範囲】
【請求項１】
てん真を回転中心として正回転及び逆回転に振動するてんぷに配設される係止部と、前記てんぷの方向に進退して前記係止部と当接可能な回転停止部とを備え、前記てんぷの回転方向が前記てんぷの振動の中心に向かう時のみに、前記回転停止部は前記係止部に当接されることにより前記てんぷの回転を停止させることを特徴とするてんぷ停止機構。
【請求項２】
前記回転停止部は、支持部に設けられる固定部と、前記係止部に当接されることにより前記固定部側及び前記固定部と反対側に変位可能な変位部とで構成され、前記固定部側に変位された前記変位部が前記固定部に当設することにより前記てんぷを停止させることを特徴とする、請求項１に記載のてんぷ停止機構。
【請求項３】
前記回転停止部は、前記変位部と前記固定部の当接時の衝撃を緩和する緩衝構造部を備えることを特徴とする、請求項１または請求項２に記載のてんぷ停止機構。
【請求項４】
前記変位部は、前記係止部が前記てんぷの振動の中心より離れる方向から前記回転停止部に当接する側に、前記係止部に対して傾きを有する面を備えていることを特徴とする 、請求項２または請求項３に記載のてんぷ停止機構。
【請求項５】
前記回転停止部は、複数の前記変位部と複数の前記固定部とで構成されていることを特徴とする、請求項２から請求項４のいずれかに記載のてんぷ停止機構。
【請求項６】
前記回転停止部は、前記支持部を中心として、１つの変位部と１つの固定部の組を複数組備えることを特徴とする、請求項２から請求項５のいずれかに記載のてんぷ停止機構。
【請求項７】
前記回転停止部は、前記係止部との当接位置を調整する当接位置調整機構を備えていることを特徴とする、請求項２から請求項６のいずれかに記載のてんぷ停止機構。
【請求項８】
前記係止部は、前記てんぷに備えられ、前記てん真を中心とするリング状のてん輪に配設されることを特徴とする、請求項１から請求項４のいずれかに記載のてんぷ停止機構。
【請求項９】
前記てんぷは、前記てん輪の重心を前記てん真の位置に調整するための錘部を備えることを特徴とする、請求項８に記載のてんぷ停止機構。
【請求項１０】
前記係止部は、前記てんぷの振動の中心より離れる方向から前記回転停止部に当接する側に、前記変位部に対して傾きを有する面を備えていることを特徴とする、請求項２から請求項９のいずれかに記載のてんぷ停止機構。
【請求項１１】
前記係止部は、少なくとも２つ以上設けることを特徴とする、請求項１から請求項１０のいずれかに記載のてんぷ停止機構。
【請求項１２】
前記係止部は、前記てん輪の内側に設けられることを特徴とする、請求項２から請求項１１のいずれかに記載のてんぷ停止機構。
【請求項１３】
前記係止部は、前記てん真を中心とした、円盤状の振り座に配設されることを特徴とする、請求項２から請求項１２のいずれかに記載のてんぷ停止機構。
【請求項１４】
前記係止部は、前記てんぷに動力を伝達するための、前記振り座に備えられる振り石であることを特徴とする、請求項１３に記載のてんぷ停止機構。
【請求項１５】
請求項１から請求項１４のいずれかに記載のてんぷ停止機構と、動力源を構成する動力ぜんまいと、前記動力ぜんまいが巻き戻されるときの回転力により回転する表輪列とを備え、前記表輪列の回転を前記てんぷ停止機構により制御することを特徴とする時計用ムーブメント。
【請求項１６】
請求項１５に記載の時計用ムーブメントを搭載することを特徴とする時計。
【発明の詳細な説明】
【技術分野】
【０００１】
本発明は、時刻合わせの際に秒針を停止させる機構およびこれを有する機械式時計に係る。
【背景技術】
【０００２】
時刻合わせの際に、秒針まで正確に調整するために秒針を停止させる機構（例えば、特許文献１を参照）がある。図１７に示すように、りゅうず２２を引くことで規制レバー２３が動き、その規制レバーの一端２４がてん輪２５を抑える。これによりてんぷの動きが停止し、秒針を停止させる方法がある。
【先行技術文献】
【特許文献】
【０００３】
【特許文献１】実公昭４６−２５４２９号公報
【発明の概要】
【発明が解決しようとする課題】
【０００４】
しかしながら、前記のような機構でてん輪を停止させると、てん輪を止めるタイミングがランダムになるため、ひげぜんまいが自然状態（巻き締まり、巻き広がりがない状態）になるタイミング（死点）でてんぷを止めてしまう可能性がある。死点ではひげぜんまいのポテンシャルエネルギーがゼロであるため、このタイミングでてんぷを止めてしまうと再度りゅうずを押し込んで時計を動かそうとしても、てんぷが動かず時計が停止してしまう可能性がある。
【０００５】
本発明は、上述の事情に鑑みてなされたものであり、再起動時に、確実にてんぷを動かすことで時計の停止を防ぐてんぷ停止機構とそれを有する時計用ムーブメント、時計を提供することを目的とする。
【課題を解決するための手段】
【０００６】
てん真を回転中心として正回転及び逆回転に振動するてんぷに配設される係止部と、前記てんぷの方向に進退して前記係止部と当接可能な回転停止部とを備え、前記てんぷの回転方向が前記てんぷの振動の中心に向かう時のみに、前記回転停止部は前記係止部に当接されることにより前記てんぷの回転を停止させることを特徴とするてんぷ停止機構を提供する。
【０００７】
この構成によれば、てんぷを停止させるタイミングがランダムにならず、必ず係止部と回転停止部が当接するときにのみてんぷを停止させることが可能になる。したがって、前記係止部と回転停止部が当接するタイミングを死点以外にすることで、時計の停止を防ぐことが可能になる。また、てんぷが振動の中心に向かう際にてんぷの回転運動を停止させることで、係止部が当接の際に回転停止部から受ける反発力により、その反対方向（振動の中心から離れる方向）へ回転運動をすることを防ぐことができる。これにより、てん輪の回転運動が続いてしまうことによるてんぷの停止遅れやてんぷが停止できずに時刻合わせ不能になることを防ぐことができる。
【０００８】
前記回転停止部は、支持部に設けられる固定部と、前記係止部に当接されることにより前記固定部側及び前記固定部と反対側に変位可能な変位部とで構成され、前記固定部側に変位された前記変位部が前記固定部に当設することにより前記てんぷを停止させることが好ましい。
【０００９】
この構成によれば、回転停止部の変位部が固定部側に変位すると、固定部が支えになり、変位部はわずかにしか変位しない。一方、固定部と反対側に変位すると、大きく変位できる。そのため、回転停止部の変位部が、固定部側に変位するように係止部と当接する際にのみてんぷを停止させることができる。従って、てんぷが振動の中心に向かう方向と、変位部と固定部が当接する方向を合わせることができるため、てんぷが振動の中心に向かうときにのみ、てんぷを停止させることができる。
【００１０】
前記回転停止部は、前記変位部と前記固定部の当接時の衝撃を緩和する緩衝構造部を備えることが好ましい。
【００１１】
この構成によれば、変位部と固定部が当接する際の衝撃を緩衝構造部によって緩和させることができるため、当接時の係止部が受ける反発力を軽減することができる。そのため、反発力方向へのてん輪の回転運動を防ぐことができ、変位部と固定部が当接した際に確実にてんぷを停止させることができる。
前記変位部は、前記係止部が前記てんぷの振動の中心より離れる方向から前記回転停止部に当接する側に、前記係止部に対して傾きを有する面を備えていることが好ましい。
この構成によれば、てんぷが振動の中心から離れる方向に係止部と変位部が当接した際に、変位部の傾き面によって接触抵抗を減らすことができる。そのため、係止部と回転停止部の当接の際の損傷を軽減し、両部品の耐久性を向上させることができる。
前記回転停止部は、複数の前記変位部と複数の前記固定部とで構成されていることが好ましい。
この構成によれば、回転停止部と係止部が当接するまでの時間が短くなる。そのため、回転停止部が作動してから秒針が停止するまでの時間差を小さくすることができる。
前記回転停止部は、前記支持部を中心として、１つの変位部と１つの固定部の組を複数組備えることが好ましい。
この構成によれば、てんぷの再起動の際に、回転停止部と係止部の当接位置から、てんぷの再起動後の回転方向またはその反対方向に支持部を中心とした回転動作により変位部を係止部に近づけ、変位部と係止部を当接させることができる。また、てんぷを再起動させる際も回転動作によって変位部が係止部から離れるが、その際にてんぷに対してもその方向に回転エネルギーを与えることができる。これによって、再起動の際にてんぷの残存エネルギーがわずかな場合でもてんぷを確実に再起動させることができる。
前記回転停止部は、前記係止部との当接位置を調整する当接位置調整機構を備えていることが好ましい。
この構成によれば、任意の振り角でてんぷを停止させることができるため、寸法ばらつきにより狙いの当接位置からずれてしまった場合でも後に調整することができる。また、てんぷの振り角が小さい際に、てんぷの振動の中心から離れる方向から係止部と回転停止部の変位部が当接する場合、係止部が変位部を通過できずてんぷを停止させることができない可能性があるが、この場合でも当接位置を調整することにより係止部が変位部を通過できる。
前記係止部は、前記てんぷに備えられ、前記てん真を中心とするリング状のてん輪に配設されることが好ましい。
【００１２】
この構成によれば、てんぷのうち最も円周の大きいてん輪に係止部を設けることにより、係止部の設置範囲が広くなる。ゆえに、係止部の位置決めを容易に行うことができる。また、係止部をより多く設置することもかのうになるため、秒停止のタイミングをより細かく制御することができる。
【００１３】
前記てんぷは、前記てん輪の重心を前記てん真の位置に調整するための錘部を備えることが好ましい。
【００１４】
この構成によれば、てん輪の重心のずれを防ぎ、時計の姿勢差による計時精度の低下を防ぐことができる。
前記係止部は、前記てんぷの振動の中心より離れる方向から前記回転停止部に当接する側に、前記変位部に対して傾きを有する面を備えていることが好ましい。
【００１５】
この構成によれば、てんぷが振動の中心から離れる方向に係止部と変位部が当接した場合、係止部の傾き面によって接触抵抗を減らすことができる。そのため、係止部と回転停止部の当接の際の損傷を軽減し、両部品の耐久性を向上させることができる。
前記係止部は、少なくとも２つ以上設けることが好ましい。
この構成によれば、回転停止部と係止部が当接するまでの時間が短くなる。そのため、回転停止部が作動してから秒針が停止するまでの時間差を小さくすることができる。
前記係止部は、前記てん輪の内側に設けられることが好ましい。
この構成によれば、外側に係止部を設ける場合よりも空気の粘性抵抗を減らすことができるため、粘性抵抗によるエネルギー損失を小さくすることができる。そのため、てん輪の回転運動の持続時間が延び、時計の駆動時間を長くすることができる。さらに、内側に係止部を設けることで、その他の部品をてん輪に近づける等、設計の自由度を上げることができる。
前記係止部は、前記てん真を中心とした、円盤状の振り座に配設されることが好ましい。
この構成によれば、振動の中心であるてん真に係止部を近づけることができるため、空気の粘性抵抗をより小さくし、エネルギー損失をさらに小さくすることができる。そのため、てん輪の回転運動の持続時間が延び、時計の駆動時間を長くすることができる。
前記係止部は、前記てんぷに動力を伝達するための、前記振り座に備えられる振り石であることが好ましい。
この構成によれば、係止部とする部品を新たに設ける必要がなくなり、部品点数を少なくすることができる。
【００１６】
本発明の時計用ムーブメントは、動力源を構成する動力ぜんまいと、前記動力ぜんまいが巻き戻されるときの回転力により回転する表輪列とを備え、前記表輪列の回転を前記てんぷ停止機構により制御することが好ましい。
この構成によれば、時刻合わせの際に死点を避けててんぷを停止させることができるため、再起動後に確実に動くムーブメントを提供することができる。
【００１７】
本発明の時計は、前記時計用ムーブメントを搭載することが好ましい。
【００１８】
この構成によれば、時刻合わせの際に死点を避けててんぷを停止させることができるため、再起動後に確実に動く時計を提供することができる。
【発明の効果】
【００１９】
本発明に係る機構によれば、時刻合わせの際にてんぷを停止させるタイミングがランダムにならず、確実に死点以外のタイミングでてんぷを停止させることができるため、再起動時に時計が停止することを防ぐことができる。
【図面の簡単な説明】
【００２０】
【図１】本発明の第１実施形態であるてんぷ停止機構を示す図である。
【図２】本発明の第１実施形態であるてんぷの変形例を示す図である。
【図３】本発明の第１実施形態である回転停止部の変形例を示す図である。
【図４】本発明の第１実施形態であるてんぷ停止機構の働きを示す図であり、（ａ）はてん輪が回転運動をしている状態を示す図であり、（ｂ）は回転停止部と係止部の当接直前を示す図であり、（ｃ）は係止部が回転停止部を通過する様子を示す図である。
【図５】本発明の第１実施形態であるてんぷ停止機構の働きを示す図であり、（ａ）は錘部が回転停止部を通過する様子を示す図であり、（ｂ）はてんぷの停止を示す図である。
【図６】本発明の第１実施形態であるてんぷ停止機構を搭載したムーブメントを示す図であり、（ａ）はりゅうずを押し込んでいる状態を示す図であり、（ｂ）はりゅうずを引いた状態を示す図である。
【図７】本発明の第１実施形態であるてんぷ停止機構を示す図であり、（ａ）は回転停止部、てん真及び係止部の位置関係を示す図であり、（ｂ）はてんぷの停止を示す図である。
【図８】本発明の第１実施形態であるてんぷ停止機構を示す図であり、（ａ）はてんぷの振り角が設計通りの場合の回転停止部と係止部の位置関係であり、（ｂ）は振り角が低下し、回転停止部の位置調整をする前を示す図であり、（ｃ）は回転停止部の位置を調整した後を示す図である。
【図９】本発明の第２実施形態であるてんぷを示す図である。
【図１０】本発明の第２実施形態であるてんぷ停止部機構の変形例を示す図である。
【図１１】本発明の第３実施形態であるてんぷ停止機構を示す図である。
【図１２】本発明の第３実施形態であるてんぷ停止機構の働きを示す図であり、（ａ）はてん輪が回転運動している状態を示す図であり、（ｂ）は回転停止部と係止部の当接直前を示す図であり、（ｃ）はてんぷの停止を示す図である。
【図１３】本発明の第３実施形態であるてんぷ停止機構の働きを示す図であり、（ａ）は回転停止部の回転動作を示す図であり、（ｂ）は再起動後のてん輪の回転運動を示す図である。
【図１４】本発明の第４実施形態である回転停止部を示す図である。
【図１５】本発明の第４実施形態であるてんぷ停止機構を示す図である。
【図１６】本発明の第４実施形態である回転停止部の変形例を示す図である。
【図１７】従来のてんぷ停止機構の一例を示す図である。
【発明を実施するための形態】
【００２１】
（第１実施形態）
本発明の第１実施形態であるてんぷ停止機構１１について説明する。
【００２２】
図１は、第１実施形態であるてんぷ停止機構１１を表す。てんぷ停止機構１１は、回転停止部７及びてんぷ９とで構成される。
てんぷ９は、てん輪１、係止部２、錘部３、てん真４、振り座５、振り石６、ひげぜんまい１０で構成される。てん真４はてん輪１の中心に、振り座５はてん真４に圧入されており、振り座５には振り石６が備えられている。てん輪１は真鍮などの金属材料で形成される。
係止部２は、てん輪１の外周の側面に備えられ、停止面２ａとすべり面２ｂとで構成される。停止面２ａは、てん輪１の回転運動が停止する際に、後に説明する回転停止部７と接触する面である。一方、すべり面２ｂは、係止部２が回転停止部７を通過する際に回転停止部７と接触する面であり、接触抵抗を小さくするように傾斜を設けてある。係止部２は、真鍮等の金属材料等で形成される。
錘部３は、てん真４を中心として係止部２のおよそ１８０度反対側のてん輪１の外周の側面に設けられ、てん輪１の重心がてん真４の位置になるように調整するために設けられている。また、錘部３は係止部２よりも小さな突起となっており、回転停止部７と接触しないようになっている。そのため、錘部３には、係止部２よりも密度が高い材料を用いることが好ましい。また、錘部３は、てん輪１の一部を太くするなど、てん輪１と一体構造となっていてもよい。またさらに、図２のように係止部２を２ｃ、２ｄ、２ｅ複数設けることによって、てん輪１の重心の位置調整を行ってもよい。
回転停止部７は図１のように固定部７ａ、変位部７ｂ、支持部７ｃで構成され、支持部７ｃに固定部７ａと変位部７ｂの一端がつながっている。回転停止部７は、ニッケルや鉄などの金属材料やシリコンなどの弾性変形が可能な材料で形成される。変位部７ｂのみ係止部２と当接できるように、固定部７ａは変位部７ｂよりも短く形成されている。さらに、固定部７ａは変位部７ｂと当接した際に変位しないように十分な厚みを持ち、変位部７ｂは大きく変位できるように薄い板バネで構成される。また図３のように、変位部７ｂには係止部２との当接の際に接触抵抗を小さくするためのすべり面７ｄを設けても良い。
（てんぷ停止機構の働き）
次に、回転停止部７と係止部２の働きについて説明する。
図４（ａ）から図４（ｃ）及び図５（ａ）から図５（ｂ）は、てんぷ停止機構１１における、てん輪１の回転運動を停止させるまでを表している。図４（ａ）は、回転停止部７と係止部２が当接せずに、てん輪１が正方向または負方向に回転運動をしている状態である。ここで、正方向は図４（ａ）での（＋）の方向、負方向は図４（ａ）での（−）方向と定義する。図４（ｂ）は、正方向に回転運動しており、てん輪１の回転運動の方向が振動の中心から離れる方向であり、係止部２と回転停止部７が接触する直前を表している。変位部７ｂが大きく変位できる方向とてん輪１が振動の中心から離れる方向を揃えることで、回転停止部７の変位部７ｂと係止部２のすべり面２ｂが当接する際に図４（ｃ）のように変位部７ｂが変位し、係止部２は変位部７ｂを通過することができる。次に、図５（ａ）のように錘部３が変位部７ｂに近づくが、錘部３は係止部２よりも小さく、てん輪１と変位部７ｂの隙間を通ることができるため、変位部７ｂと当接することがない。次に、てん輪１の回転方向が負方向になると、係止部２の停止面２ａと変位部７ｂが当接するが、図５（ｂ）のように変位部７ｂと固定部７ａが度当たりするため、変位部７ｂはわずかにしか変位できない。そのため、係止部２は変位部７ｂを通過することができず、てん輪１は停止する。
このように、てんぷ９が振動の中心に向かう際にてんぷ９の回転運動を停止させることで、係止部２が当接の際に回転停止部７から受ける反発力により、その反対方向（振動の中心から離れる方向）へ回転運動をすることを防ぐことができる。これにより、てん輪１の回転運動が続いてしまうことによるてんぷ９の停止遅れやてんぷ９が停止できずに時刻合わせ不能になることを防ぐことができる。
（ムーブメント）
図６は、前記てんぷ停止機構１１を備えたムーブメント２６を表す。ムーブメントとは、時計の駆動部を指す。なお、図５は本発明であるてんぷ停止機構１１のみを記載し、他の部品を省略している。
【００２３】
図６（ａ）に示すように、回転停止部７の支持部７ｃの一端は、ツヅミ車１３の二枚の歯車１３ａ及び１３ｂの間に組み込まれている。りゅうず１２を引いていない状態では、回転停止部７と係止部２は接触せず、てん輪１は回転運動をする。りゅうず１２を引くと、ツヅミ車１３はてん輪１の方向Ａへ移動する。この時に回転停止部７も方向Ａへ移動し、回転停止部７の変位部７ｂは係止部２と当接可能な位置まで移動する。この操作により図６（ｂ）のように係止部２と変位部７ｂが当接し、てん輪１の回転運動は停止する。その後、りゅうず１２を押し込むと回転停止部７は方向Ｂへ移動するため、てん輪１は再び回転運動をするようになる。
（係止部の位置決め）
前述の係止部２と回転停止部７の当接のタイミングは、死点以外である必要がある。死点とは、ひげぜんまい１０の自然状態（巻き締まり、巻き広がりがない状態）を指す。ひげぜんまい１０は、てん輪１の回転運動に伴い巻き締まりと巻き広がりを繰り返すため、死点での停止を避けるために係止部２の位置決めが重要になる。ひげぜんまい１０は、てんぷ９をムーブメント２６に組み込む際は自然状態であるため、組み込む際の係止部２の位置調整が必要である。
図７（ａ）及び図７（ｂ）は、ひげぜんまい１０が自然状態における係止部２と回転停止部７の位置関係を表している。なお、ひげぜんまい１０の状態を見やすくするために振り座５や振り石６等は省略している。
図７（ａ）の破線Ｃは、回転停止部７の変位部７ｂとてん真４を結ぶ線である。図７（ａ）の破線Ｃ上に係止部２を配置するようにてんぷ９を組み込んでしまうと、回転停止部７と係止部２が当接する際に、ひげぜんまい１０が必ず自然状態になってしまい、てんぷ９は死点で停止してしまう。そのため、係止部２を図７（ａ）のように破線Ｃから外れるようにてんぷ９を組み込む必要がある。このようにてんぷ９を組み込むことで、回転停止部７と係止部２が当接する際には、図７（ｂ）のようにひげぜんまい１０は自然状態ではないため、死点での停止を防ぐことができる。
（回転停止部の位置調整）
経時劣化によって、例えばてんぷ９の回転運動の範囲（振り角と定義する）が低下した場合、係止部２と回転停止部７が当接できない可能性がある。そのため、回転停止部７の位置を、係止部２と当接可能な位置に調整できるようにする必要がある。
図８に回転停止部７に調整機構を設けた場合の回転停止部７の動きを表す。なお、同一の構成については同一符号を設け、説明を省略する。
てんぷ９の振り角が図８（ａ）の矢印Ｄに示す範囲の場合、回転停止部７と係止部２は当接できるが、振り角が、図８（ｂ）の矢印Ｄ’のように小さくなった場合、係止部２と回転停止部７は当接できない。そのためてんぷ９を停止させることができない。そのために図８（ｃ）のように、回転停止部７を矢印Ｅの方向に調整することによって係止部２と回転停止部７が当接可能になる。
（第２実施形態）
本発明の第２実施形態であるてんぷ停止機構１４について説明する。なお、同一の構成については同一符号を設け、説明を省略する。
図９は、第２実施形態であるてんぷ２１を表す。振り座５の側面には係止部１６と錘部１７が備えられている。錘部１７は、てん真４を中心として係止部１６のおよそ１８０度反対側の振り座５の側面に設けられ、てん輪１の重心がてん真４の位置になるように調整するために設けられている。振り座５や係止部１６、錘部１７は真鍮などの金属材料で形成される。また、錘部１７は係止部１６よりも小さな突起となっており、回転停止部７と接触しないようになっている。係止部１６の停止面１６ａと回転停止部７の変位部７ｂが当接することで、てん輪１の回転運動を停止させることができる。
このように、係止部１６を振動の中心であるてん真４に近づけることによって空気の粘性抵抗を小さくし、エネルギー損失を小さくすることができる。そのため、てん輪１の回転運動の持続時間を延ばすことができる。
なお、図１０のように振り座５に設けられている振り石６を係止部としても良い。振り石６は、ルビーなどの硬度が高く低摩擦である材料で構成される。
（第３実施形態）
本発明の第３実施形態であるてんぷ停止機構１５について説明する。なお、同一の構成については同一符号を設け、説明を省略する。
図１１は、本発明の第３実施形態であるてんぷ停止機構１５を表す。回転停止部８は、支持部８ｉと複数の固定部８ａ、８ｃ、８ｅ、８ｇと複数の変位部８ｂ、８ｄ、８ｆ、８ｈで構成され、それぞれの固定部と変位部の一端は支持部８ｉにつながっている。支持部８ｉの持つ４つの側面の各面には、固定部と変位部がそれぞれ一つずつ設けられている。それぞれの変位部は、同一面内にある固定部にしか当接できず、異なる面に設けられた固定部と変位部が当接することはない。回転停止部８は、ニッケルや鉄などの金属材料やシリコンなどの弾性変形が可能な材料で形成される。変位部８ｂ、８ｄ、８ｆ、８ｈのみ係止部２と当接できるように、固定部８ａ、８ｃ、８ｅ、８ｇは変位部８ｂ、８ｄ、８ｆ、８ｈよりも短く形成されている。さらに、固定部８ａ、８ｃ、８ｅ、８ｇは、それぞれ変位部８ａ、８ｃ、８ｅ、８ｇと当接した際に変位しないように十分な厚みを持ち、変位部８ａ、８ｃ、８ｅ、８ｇは大きく変位できるように薄い板バネで構成される。
（てんぷ停止機構の働き）
図１２（ａ）から図１２（ｃ）及び図１３（ａ）から図１３（ｂ）は、第３実施形態であるてんぷ停止機構１５の働きを表している。図１０（ａ）は、てん輪１が正方向または負方向に回転運動をしており、係止部２は回転停止部８と接触しない状態を表している。ここで、正方向は図１２（ａ）での（＋）の方向、負方向とは図１２（ａ）での（−）方向と定義する。また、回転停止部８は、方向Ｄに回転することができ、この動きによって図１２（ａ）の状態から図１２（ｂ）のように回転停止部８の変位部８ｂは、係止部２と当接可能な位置まで近づくことができる。図１２（ｂ）に示すように、てん輪１の回転方向が負方向の場合、係止部２の停止面２ａと回転停止部８の変位部８ｂが当接することで、図１２（ｃ）のように、てん輪１の回転運動を停止させることができる。その後、てんぷ９を再起動させる際には、図１３（ａ）のように回転停止部８が方向Ｄへ回転することで、てん輪１は正方向へ動く。その後、てん輪１は図１３（ｂ）のように負方向への回転運動をする。
このように回転停止部８の回転動作によって、回転するためのエネルギーをてん輪１へ与えることで、てんぷ９の残存エネルギーがわずかな場合でもてんぷ９を確実に再起動させることができる。
（第４実施形態）
本発明の第４実施形態であるてんぷ停止機構２０について説明する。なお、同一の構成については同一符号を設け、説明を省略する。
図１４は、本発明の第４実施形態のである回転停止部１８を表す。回転停止部１８は、固定部１８ａ、変位部１８ｂ、支持部１８ｃ、及び緩衝構造部１９で構成される。変位部１８ｂのみ係止部２と当接できるように、固定部１８ａは変位部１８ｂよりも短く形成されている。さらに、固定部１８ａは変位部１８ｂと当接した際に変位しないように十分な厚みを持ち、変位部１８ｂは大きく変位できるように薄い板バネで構成される。緩衝構造部１９は、支持部１９ａと接触部１９ｂとで構成される。緩衝構造部１９の支持部１９ａの一端は、変位部１８ｂにつながっており、接触部１９ｂの一端は支持部１９ａにつながっている。接触部１９ｂは、変位部１８ｂ側に変位することができるように薄い板バネで構成される。回転停止部１８は、ニッケルや鉄などの金属材料やシリコンなどの弾性変形が可能な材料で形成される。
（てんぷ停止機構の働き）
図１５は、第４実施形態であるてんぷ停止機構２０を表す。係止部２の停止面２ａと変位部１８ｂが当接することにより、てん輪１の回転運動は停止する。その際に、変位部１８ｂが固定部１８ａ側に変位するが、緩衝構造部１９の接触部１９ｂが固定部１８ａと接触した後に変位部１８ｂ側に変位する。この接触部１９ｂの変位によって衝撃を緩和し、反発力が変位部１８ｂに伝わることを防ぐことができる。なお、図１６の１９ｃのように、グリース等を塗布することによって衝撃を緩和させても良い。
このように、変位部１８ｂに反発力が伝わることを防ぐことで、てん輪１が反対方向に回転運動をすることを防ぐことができる。これにより、てん輪１の回転運動が続いてしまうことによるてんぷ９の停止遅れやてんぷ９が停止できずに時刻合わせ不能になることを防ぐことができる。
すなわち、以上の実施形態に係るてんぷ停止機構は、てん真を回転中心として正回転及び逆回転に振動するてんぷに配設される係止部と、前記てんぷの方向に進退して前記係止部と当接可能な回転停止部とを備え、前記てんぷの回転方向が前記てんぷの振動の中心に向かう時のみに、前記回転停止部は前記係止部に当接されることにより前記てんぷの回転を停止させることを特徴とする。
また、以上の実施形態に係るてんぷ停止機構は、前記回転停止部は、支持部に設けられる固定部と、前記係止部に当接されることにより前記固定部側及び前記固定部と反対側に変位可能な変位部とで構成され、前記固定部側に変位された前記変位部が前記固定部に当設することにより前記てんぷを停止させることを特徴とする。
また、以上の実施形態に係るてんぷ停止機構は、前記回転停止部は、前記変位部と前記固定部の当接時の衝撃を緩和する緩衝構造部を備えることを特徴とする。
また、以上の実施形態に係るてんぷ停止機構は、前記変位部は、前記係止部が前記てんぷの振動の中心より離れる方向から前記回転停止部に当接する側に、前記係止部に対して傾きを有する面を備えていることを特徴とする。
また、以上の実施形態に係るてんぷ停止機構は、前記回転停止部は、複数の前記変位部と複数の前記固定部とで構成されていることを特徴とする。
また、以上の実施形態に係るてんぷ停止機構は、前記回転停止部は、前記支持部を中心として、１つの変位部と１つの固定部の組を複数組備えることを特徴とする。
また、以上の実施形態に係るてんぷ停止機構は、前記回転停止部は、前記支持部を中心として、１つの変位部と１つの固定部の組を複数組備えることを特徴とする。
また、以上の実施形態に係るてんぷ停止機構は、前記回転停止部は、前記係止部との当接位置を調整する当接位置調整機構を備えていることを特徴とする。
また、以上の実施形態に係るてんぷ停止機構は、前記係止部は、前記てんぷに備えられ、前記てん真を中心とするリング状のてん輪に配設されることを特徴とする。
また、以上の実施形態に係るてんぷ停止機構は、前記てんぷは、前記てん輪の重心を前記てん真の位置に調整するための錘部を備えることを特徴とする。
また、以上の実施形態に係るてんぷ停止機構は、前記係止部は、前記てんぷの振動の中心より離れる方向から前記回転停止部に当接する側に、前記変位部に対して傾きを有する面を備えていることを特徴とする。
また、以上の実施形態に係るてんぷ停止機構は、前記係止部は、少なくとも２つ以上設けることを特徴とする。
また、以上の実施形態に係るてんぷ停止機構は、前記係止部は、前記てん輪の内側に設けられることを特徴とする。
また、以上の実施形態に係るてんぷ停止機構は、前記係止部は、前記てん真を中心として、前記てん輪よりも内側に備えられる、円盤状の振り座に配設されることを特徴とする。
また、以上の実施形態に係るてんぷ停止機構は、前記係止部は、前記てんぷに動力を伝達するための、前記振り座に備えられる振り石であることを特徴とする。
また、以上の実施形態に係る時計用ムーブメントは、上記てんぷ停止機構と、動力源を構成する動力ぜんまいと、前記動力ぜんまいが巻き戻されるときの回転力により回転する表輪列とを備え、前記表輪列の回転を前記てんぷ停止機構により制御することを特徴とする。
また、以上の実施形態に係る時計は、上記時計用ムーブメントを搭載することを特徴とする。
【符号の説明】
【００２４】
１  てん輪
２、２ａ、２ｂ、２ｃ、２ｄ、１６、１６ａ、１６ｂ  係止部
３、１７  錘部
４  てん真
５  振り座
６  振り石
７、７’、７ａ、７ｂ、７ｃ、７ｄ、８、８ａ、８ｂ、８ｃ、８ｄ、８ｅ、８ｆ、８ｇ、８ｈ、８ｉ、１８、１８ａ、１８ｂ、１８ｃ  回転停止部
９、２１  てんぷ
１０  ひげぜんまい
１１、１４、１５、２０  てんぷ停止機構
１２  りゅうず
１３、１３ａ、１３ｂ  ツヅミ車
１９、１９ａ、１９ｂ、１９ｃ  緩衝構造部
２６  ムーブメント
【図１】
2017187483.tif 000003
【図２】
2017187483.tif 000004
【図３】
2017187483.tif 000005
【図４】
2017187483.tif 000006
【図５】
2017187483.tif 000007
【図６】
2017187483.tif 000008
【図７】
2017187483.tif 000009
【図８】
2017187483.tif 000010
【図９】
2017187483.tif 000011
【図１０】
2017187483.tif 000012
【図１１】
2017187483.tif 000013
【図１２】
2017187483.tif 000014
【図１３】
2017187483.tif 000015
【図１４】
2017187483.tif 000016
【図１５】
2017187483.tif 000017
【図１６】
2017187483.tif 000018
【図１７】
2017187483.tif 000019